(57)【特許請求の範囲】
【請求項１】
アクセス制御方法であって、
ユーザ機器が、アップリンクアクセスのためのアクセスカテゴリ（ａｃｃｅｓｓ  ｃａｔｅｇｏｒｙ）情報を取得することであって、前記ａｃｃｅｓｓ  ｃａｔｅｇｏｒｙ情報は、少なくともアクセス層（ＡＳ）エンティティによって独立して定義された第１のａｃｃｅｓｓ  ｃａｔｅｇｏｒｙ情報を含むことと、
前記ユーザ機器が、前記ａｃｃｅｓｓ  ｃａｔｅｇｏｒｙ情報にしたがってアップリンクアクセスを開始することと、を含む、前記アクセス制御方法。
【請求項２】
前記ユーザ機器が、前記ａｃｃｅｓｓ  ｃａｔｅｇｏｒｙ情報にしたがってアップリンクアクセスを開始することは、
前記ユーザ機器が、アップリンクアクセスを決定するために、前記ａｃｃｅｓｓ  ｃａｔｅｇｏｒｙ情報にしたがってアクセス制限（ａｃｃｅｓｓ  ｂａｒｒｉｎｇ）操作を実行することを含む、
請求項１に記載のアクセス制御方法。
【請求項３】
前記ユーザ機器が、前記ａｃｃｅｓｓ  ｃａｔｅｇｏｒｙ情報にしたがってアップリンクアクセスを開始することは、
前記ユーザ機器が、アップリンクアクセスの開始を決定するために、前記ａｃｃｅｓｓ  ｃａｔｅｇｏｒｙ情報にしたがってアクセス制限（ａｃｃｅｓｓ  ｂａｒｒｉｎｇ）操作を実行することと、
前記ユーザ機器が、前記ａｃｃｅｓｓ  ｃａｔｅｇｏｒｙ情報を伝送することであって、前記ａｃｃｅｓｓ  ｃａｔｅｇｏｒｙ情報は、基地局が前記ユーザ機器に対してアップリンクアクセス制御を行うためであることと、を含む、
請求項１に記載のアクセス制御方法。
【請求項４】
前記ａｃｃｅｓｓ  ｂａｒｒｉｎｇ操作は、アクセスカテゴリ禁止（ＡＣＢ）、拡張アクセス禁止（ＥＡＢ）、リバースサービス固有アクセス制御（ＳＳＡＣ）、データ通信におけるアプリケーション指向の輻輳制御（ＡＣＤＣ）のうちの少なくとも１つの操作を含む、
請求項２または３に記載のアクセス制御方法。
【請求項５】
前記ユーザ機器が、アップリンクアクセスのためのアクセスカテゴリ（ａｃｃｅｓｓ  ｃａｔｅｇｏｒｙ）情報を取得することは、
前記ユーザ機器が、ＡＳエンティティによって独立して定義された第１のａｃｃｅｓｓ  ｃａｔｅｇｏｒｙ情報を取得し、前記第１のａｃｃｅｓｓ  ｃａｔｅｇｏｒｙ情報をアップリンクアクセスのためのａｃｃｅｓｓ  ｃａｔｅｇｏｒｙ情報として決定することを含む、
請求項１ないし４のいずれか一項に記載のアクセス制御方法。
【請求項６】
前記ユーザ機器が、アップリンクアクセスのためのアクセスカテゴリ（ａｃｃｅｓｓ  ｃａｔｅｇｏｒｙ）情報を取得することは、
前記ユーザ機器が、ＡＳエンティティによって独立して定義された第１のａｃｃｅｓｓ  ｃａｔｅｇｏｒｙ情報を取得すること、および非アクセス層（ＮＡＳ）によって定義された第２のａｃｃｅｓｓ  ｃａｔｅｇｏｒｙ情報を取得することと、
前記ユーザ機器が、前記第１のａｃｃｅｓｓ  ｃａｔｅｇｏｒｙ情報および前記第２のａｃｃｅｓｓ  ｃａｔｅｇｏｒｙ情報にしたがって、アップリンクアクセスのためのａｃｃｅｓｓ  ｃａｔｅｇｏｒｙ情報を決定することと、を含む、
請求項１ないし４のいずれか一項に記載のアクセス制御方法。
【請求項７】
前記ａｃｃｅｓｓ  ｃａｔｅｇｏｒｙ情報は、コールタイプ（ｃａｌｌ  ｔｙｐｅ）を含むか、または、前記ｃａｌｌ  ｔｙｐｅおよび無線リソース制御確立原因（ＲＲＣ  ｅｓｔａｂｌｉｓｈｍｅｎｔ  ｃａｕｓｅ）を含む、
請求項１ないし６のいずれか一項に記載のアクセス制御方法。
【請求項８】
アクセス制御方法であって、
基地局が、ユーザ機器から送信されたアクセスカテゴリ（ａｃｃｅｓｓ  ｃａｔｅｇｏｒｙ）情報を受信することであって、前記ａｃｃｅｓｓ  ｃａｔｅｇｏｒｙ情報は、前記ユーザ機器が前記ａｃｃｅｓｓ  ｃａｔｅｇｏｒｙ情報にしたがってアクセス制限（ａｃｃｅｓｓ  ｂａｒｒｉｎｇ）操作を実行し、アップリンクアクセスを決定した後に送信され、前記ａｃｃｅｓｓ  ｃａｔｅｇｏｒｙ情報は、少なくともアクセス層（ＡＳ）エンティティによって独立して定義された第１のａｃｃｅｓｓ  ｃａｔｅｇｏｒｙ情報を含むことと、
前記基地局が、前記ａｃｃｅｓｓ  ｃａｔｅｇｏｒｙ情報にしたがって前記ユーザ機器に対してアクセス制御を行うことと、を含む、前記アクセス制御方法。
【請求項９】
前記ａｃｃｅｓｓ  ｂａｒｒｉｎｇ操作は、アクセスカテゴリ禁止（ＡＣＢ）、拡張アクセス禁止（ＥＡＢ）、リバースサービス固有アクセス制御（ＳＳＡＣ）、データ通信におけるアプリケーション指向の輻輳制御（ＡＣＤＣ）のうちの少なくとも１つの操作を含む、
請求項８に記載のアクセス制御方法。
【請求項１０】
前記ａｃｃｅｓｓ  ｃａｔｅｇｏｒｙ情報は、コールタイプ（ｃａｌｌ  ｔｙｐｅ）を含むか、または、前記ｃａｌｌ  ｔｙｐｅおよび無線リソース制御確立原因（ＲＲＣ  ｅｓｔａｂｌｉｓｈｍｅｎｔ  ｃａｕｓｅ）を含む、
請求項８に記載のアクセス制御方法。
【請求項１１】
ユーザ機器であって、
アップリンクアクセスのためのアクセスカテゴリ（ａｃｃｅｓｓ  ｃａｔｅｇｏｒｙ）情報を取得する取得ユニットであって、前記ａｃｃｅｓｓ  ｃａｔｅｇｏｒｙ情報は、少なくともアクセス層（ＡＳ）エンティティによって独立して定義された第１のａｃｃｅｓｓ  ｃａｔｅｇｏｒｙ情報を含む取得ユニットと、
前記ａｃｃｅｓｓ  ｃａｔｅｇｏｒｙ情報にしたがってアップリンクアクセスを開始する開始ユニットと、を含む、前記ユーザ機器。
【請求項１２】
前記ａｃｃｅｓｓ  ｃａｔｅｇｏｒｙ情報にしたがってアップリンクアクセスを開始する態様において、前記開始ユニットは、具体的に、アップリンクアクセスを決定するために、前記ａｃｃｅｓｓ  ｃａｔｅｇｏｒｙ情報にしたがってアクセス制限（ａｃｃｅｓｓ  ｂａｒｒｉｎｇ）操作を実行する、
請求項１１に記載のユーザ機器。
【請求項１３】
前記ａｃｃｅｓｓ  ｃａｔｅｇｏｒｙ情報にしたがってアップリンクアクセスを開始する態様において、前記開始ユニットは、具体的に、アップリンクアクセスの開始を決定するために、前記ａｃｃｅｓｓ  ｃａｔｅｇｏｒｙ情報にしたがってアクセス制限（ａｃｃｅｓｓ  ｂａｒｒｉｎｇ）操作を実行し、および前記ａｃｃｅｓｓ  ｃａｔｅｇｏｒｙ情報を伝送し、前記ａｃｃｅｓｓ  ｃａｔｅｇｏｒｙ情報は、基地局が前記ユーザ機器に対してアップリンクアクセス制御を行うためである、
請求項１１に記載のユーザ機器。
【請求項１４】
前記ａｃｃｅｓｓ  ｂａｒｒｉｎｇ操作は、アクセスカテゴリ禁止（ＡＣＢ）、拡張アクセス禁止（ＥＡＢ）、リバースサービス固有アクセス制御（ＳＳＡＣ）、データ通信におけるアプリケーション指向の輻輳制御（ＡＣＤＣ）のうちの少なくとも１つの操作を含む、
請求項１２または１３に記載のユーザ機器。
【請求項１５】
前記アップリンクアクセスのためのアクセスカテゴリ（ａｃｃｅｓｓ  ｃａｔｅｇｏｒｙ）情報を取得する態様において、前記取得ユニットは、具体的に、ＡＳエンティティによって独立して定義された第１のａｃｃｅｓｓ  ｃａｔｅｇｏｒｙ情報を取得し、前記第１のａｃｃｅｓｓ  ｃａｔｅｇｏｒｙ情報をアップリンクアクセスのためのａｃｃｅｓｓ  ｃａｔｅｇｏｒｙ情報として決定する、
請求項１１ないし１４のいずれか一項に記載のユーザ機器。
【発明の詳細な説明】
【技術分野】
【０００１】
本発明は、通信技術分野に関し、特にアクセス制御方法および関連製品に関する。
【背景技術】
【０００２】
無線通信システムにおいて、端末はネットワークとの接続を確立する必要があり、このプロセスはランダムアクセス（Ｒａｎｄｏｍ  Ａｃｃｅｓｓ）プロセスと呼ばれることがよくある。ロングタームエボリューション（ＬＴＥ：Ｌｏｎｇ  Ｔｅｒｍ  Ｅｖｏｌｕｔｉｏｎ）システムでは、通常、次の状況ではランダムアクセスプロセスが必要である。端末が初期にアクセス無線リンク（無線リソース制御（ＲＲＣ：Ｒａｄｉｏ  Ｒｅｓｏｕｒｃｅ  Ｃｏｎｔｒｏｌ）アイドル状態（ＲＲＣ＿ＩＤＬＥ）から接続状態（ＲＲＣ＿ＣＯＮＮＥＣＴＥＤ）に転換する）を確立する場合、無線リンクが中断された後、リンクを再確立する場合、ハンドオーバー中に端末はターゲットセルとアップリンク同期を確立する必要がある場合、端末が接続状態にあり且つ端末のアップリンクが同期していない場合、アップリンクまたはダウンリンクデータが到着したときにアップリンク同期を確立する場合、アップリンクの測定に基づくユーザの位置づけを使用する場合、物理層のアップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）に専用のスケジューリング要求リソースが割り当てられていない場合、スケジューリング要求が行われる。
【０００３】
ＬＴＥにおいて、ランダムアクセスプロセスは、競合と非競合に分けられる。競合の基のランダムアクセスプロセスは、通常は以下のステップで構成される。端末がランダムアクセスプリアンブルシーケンスセットからランダムアクセスプリアンブルシーケンスをランダムに選択し、基地局ｅＮＢの事前に指定されたランダムアクセスリソース（物理層ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ））で選択したランダムアクセスプリアンブルシーケンスを送信するステップ、端末が、物理層ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）で、基地局から送信したランダムアクセス応答（Ｒａｎｄｏｍ  Ａｃｃｅｓｓ  Ｒｅｓｐｏｎｓｅ、ＲＡＲ）メッセージを受信するステップ、端末は、競合解決のために使用されるように、ＲＡＲメッセージに含まれる一時セル無線ネットワーク一時ＩＤ（Ｃ−ＲＮＴＩ：Ｃｅｌｌ−Ｒａｄｉｏ  Ｎｅｔｗｏｒｋ  Ｔｅｍｐｏｒａｒｙ  Ｉｄｅｎｔｉｔｙ）にしたがって、ＲＡＲメッセージで指定された物理層アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）で本セル内の端末のＩＤを含むランダムアクセスプロセスメッセージをｅＮＢに伝送するステップ、及び端末がｅＮＢから送信された競合解决メッセージを受信するステップで構成されることにより、ランダムアクセスプロセスを完成する。非競合のランダムアクセスプロセスの場合、端末は、基地局によって事前に指定されたランダムアクセスリソースを使用して、基地局によって事前に指定されたランダムアクセスプリアンブルシーケンスを送信し、端末は、自分が送信したプリアンブルシーケンスに対応するＲＡＲメッセージを受信したかどうかにしたがって、ランダムアクセスが成功したかどうかを判断する。
【０００４】
第５世代モバイル通信技術（５Ｇ：５ｔｈ−Ｇｅｎｅｒａｔｉｏｎ）ＮＲは、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）組織で新たに提案したトピックである。５Ｇ技術の新世代の議論が徐々に深まることにつれて、一方で、通信システムは後方互換性であるため、後に開発された新しい技術は、互換性の前に既に標準化された技術に傾けるが、もう一方では、第４世代モバイル通信技術（４Ｇ：ｔｈｅ  ４ｔｈ  Ｇｅｎｅｒａｔｉｏｎ  ｍｏｂｉｌｅ  ｃｏｍｍｕｎｉｃａｔｉｏｎ）ＬＴＥには既に多数の既存の設計が存在するので、互換を実現するためであれば、５Ｇの多くの柔軟性を犠牲することになることにより、パフォーマンスを低下させる。そのため、現在、３ＧＰＰ組織には２つの並行研究があるが、その中でも後方互換性の技術ディスカッショングループは５Ｇ  ＮＲと呼ばれる。
【０００５】
５Ｇ／ＮＲシステムには、ｏｎ−ｄｅｍａｎｄ  ＳＩの概念が導入され、即ち、ユーザ機器がアップリンク要求を送信することにより、システムメッセージ（補助情報ブロックＳＩＢ１など）を取得する必要があるが、これらのアップリンク要求は、ランダムアクセスチャネル（ＲＡＣＨ）のプリアンブル（ｐｒｅａｍｂｌｅ）またはＭＳＧ３メッセージ（無線リソース制御接続要求（ＲＲＣ  Ｃｏｎｎｅｃｔｉｏｎ  Ｒｅｑｕｅｓｔ）など）を介して実現することができる。このアップリンク要求は、アイドル状態のユーザにより送信することができるが、従来のアイドル状態のアップリンクアクセス要求と異なることとしては、これらのアップリンクアクセス要求は、非アクセス層（Ｎｏｎ−Ａｃｃｅｓｓ  Ｓｔｒａｔｕｍ：ＮＡＳ）によって開始されるのではなく、アクセス層（Ａｃｃｅｓｓ  Ｓｔｒａｔｕｍ：ＡＳ）自体によって開始される。システムメッセージのアップリンク要求が、ＭＳＧ３メッセージを介して実現される場合、これは、ＭＳＧ１（ＲＡＣＨ  ｐｒｅａｍｂｌｅなど）が、同じ物理ランダムアクセスチャネル（ＰＲＡＣＨ）リソースで他の目的に使用されるランダムアクセスプリアンブル（ＲＡＣＨ  ｐｒｅａｍｂｌｅ）と混合される可能性があることを意味する。これは、システムメッセージ要求として使用されるＲＡＣＨプロセスに対してアクセス制御を行う必要があることを意味する。
【発明の概要】
【発明が解決しようとする課題】
【０００６】
本発明の実施例は、アクセス制御方法および関連製品を提供することにより、ＮＡＳアクセスカテゴリ情報の予約オーバーヘッドを低減し、ＮＡＳとＡＳとの間のシグナリングオーバーヘッドを低減し、ＮＲシステムにおけるユーザ機器のアクセス制御効率を改善する。
【課題を解決するための手段】
【０００７】
第１の態様において、本発明の実施例は、
ユーザ機器が、アップリンクアクセスのためのアクセスカテゴリ（ａｃｃｅｓｓ  ｃａｔｅｇｏｒｙ）情報を取得することであって、前記ａｃｃｅｓｓ  ｃａｔｅｇｏｒｙ情報は、少なくともアクセス層（ＡＳ）エンティティによって独立して定義された第１のａｃｃｅｓｓ  ｃａｔｅｇｏｒｙ情報を含むことと、
前記ユーザ機器が、前記ａｃｃｅｓｓ  ｃａｔｅｇｏｒｙ情報にしたがってアップリンクアクセスを開始することと、を含む、アクセス制御方法を提供する。
【０００８】
第２の態様において、本発明の実施例は、
基地局が、ユーザ機器から送信されたアクセスカテゴリ（ａｃｃｅｓｓ  ｃａｔｅｇｏｒｙ）情報を受信することであって、前記ａｃｃｅｓｓ  ｃａｔｅｇｏｒｙ情報は、前記ユーザ機器が前記ａｃｃｅｓｓ  ｃａｔｅｇｏｒｙ情報にしたがってアクセス制限（ａｃｃｅｓｓ  ｂａｒｒｉｎｇ）操作を実行し、アップリンクアクセスを決定した後に送信され、前記ａｃｃｅｓｓ  ｃａｔｅｇｏｒｙ情報は、少なくともアクセス層（ＡＳ）エンティティによって独立して定義された第１のａｃｃｅｓｓ  ｃａｔｅｇｏｒｙ情報を含むことと、
前記基地局が、前記ａｃｃｅｓｓ  ｃａｔｅｇｏｒｙ情報にしたがって前記ユーザ機器に対してアクセス制御を行うことと、を含む、アクセス制御方法を提供する。
【０００９】
第３の態様において、本発明の実施例は、
アップリンクアクセスのためのアクセスカテゴリ（ａｃｃｅｓｓ  ｃａｔｅｇｏｒｙ）情報を取得する取得ユニットであって、前記ａｃｃｅｓｓ  ｃａｔｅｇｏｒｙ情報は、少なくともアクセス層（ＡＳ）エンティティによって独立して定義された第１のａｃｃｅｓｓ  ｃａｔｅｇｏｒｙ情報を含む取得ユニットと、
前記ａｃｃｅｓｓ  ｃａｔｅｇｏｒｙ情報にしたがってアップリンクアクセスを開始する開始ユニットと、を含む、ユーザ機器を提供する。
【００１０】
第４の態様において、本発明の実施例は、
ユーザ機器から送信されたアクセスカテゴリ（ａｃｃｅｓｓ  ｃａｔｅｇｏｒｙ）情報を受信する受信ユニットであって、前記ａｃｃｅｓｓ  ｃａｔｅｇｏｒｙ情報は、前記ユーザ機器が前記ａｃｃｅｓｓ  ｃａｔｅｇｏｒｙ情報にしたがってアクセス制限（ａｃｃｅｓｓ  ｂａｒｒｉｎｇ）操作を実行し、アップリンクアクセスを決定した後に送信され、前記ａｃｃｅｓｓ  ｃａｔｅｇｏｒｙ情報は、少なくともアクセス層（ＡＳ）エンティティによって独立して定義された第１のａｃｃｅｓｓ  ｃａｔｅｇｏｒｙ情報を含む受信ユニットと、
前記ａｃｃｅｓｓ  ｃａｔｅｇｏｒｙ情報にしたがって前記ユーザ機器に対してアクセス制御を行うアクセス制御ユニットと、を含む、基地局を提供する。
【００１１】
第５の態様において、本発明の実施例は、プロセッサ、メモリ、無線周波数チップ、およびプログラムを含むユーザ機器を提供し、前記プログラムは、前記メモリに記憶され、前記プロセッサによって実行されるように構成され、前記プログラムは、本発明の実施例における第１の態様の任意の方法のステップを実行するための命令を含む。
【００１２】
第６の態様において、本発明の実施例は、プロセッサ、メモリ、通信インターフェース、およびプログラムを含む基地局を提供し、前記プログラムは、前記メモリに記憶され、前記プロセッサによって実行されるように構成され、前記プログラムは、本発明の実施例における第２の態様の任意の方法のステップを実行するための命令を含む。
【００１３】
第７の態様において、本発明の実施例は、コンピュータプログラムを記憶するコンピュータ記憶媒体を提供し、前記コンピュータプログラムは、コンピュータに本発明の実施例の第１の態様または第２の態様の任意の方法のステップを実行させ、前記コンピュータは、基地局およびユーザ機器を含む。
【００１４】
第８の態様において、本発明の実施例は、コンピュータプログラムを含むコンピュータプログラム製品を提供し、前記コンピュータプログラムは、本発明の実施例の第１の態様または第２の態様の任意の方法のステップをコンピュータに実行させるように動作可能であり、前記コンピュータは、基地局およびユーザ機器を含む。
【発明の効果】
【００１５】
これから分かるように、本発明の実施例では、ユーザ機器が、まず、アップリンクアクセスのためのアクセスカテゴリ（ａｃｃｅｓｓ  ｃａｔｅｇｏｒｙ）情報を取得し、次に、ユーザ機器がａｃｃｅｓｓ  ｃａｔｅｇｏｒｙ情報にしたがってアップリンクアクセスを開始し、且つ取得されたａｃｃｅｓｓ  ｃａｔｅｇｏｒｙ情報には少なくともアクセス層（ＡＳ）エンティティによって独立して定義された第１のａｃｃｅｓｓ  ｃａｔｅｇｏｒｙ情報を含むため、即ち、ユーザ機器に必要なａｃｃｅｓｓ  ｃａｔｅｇｏｒｙ情報が、ＮＡＳエンティティからすべて取得されないか、またはＮＡＳから取得されない。このような方法は、アクセス層自体によって開始されるアップリンクアクセス要求に対して、ＮＡＳとＡＳとの間の層間シグナリングオーバーヘッドを低減し、ＮＲシステムにおけるユーザ機器のアクセス制御効率を改善するのに有益である。
【図面の簡単な説明】
【００１６】
以下は、実施例または先行技術の説明で使用する必要がある図面を簡単に紹介する。
【図１】本発明の実施例によって提供される例示的な通信システムの可能なネットワークアーキテクチャである。
【図２Ａ】本発明の実施例によって提供されるアクセス制御方法の通信例示図である。
【図２Ｂ】本発明の実施例によって提供される別のアクセス制御方法の通信例示図である。
【図３】本発明の実施例によって提供されるデータマッピング伝送を実現する５Ｇ  ＮＲシステムの例示図である。
【図４】本発明の実施例によって提供されるユーザ機器の構造例示図である。
【図５】本発明の実施例によって提供される基地局の構造例示図である。
【図６】本発明の実施例によって提供されるユーザ機器の機能ユニット構成のブロック図である。
【図７】本発明の実施例によって提供される基地局の機能ユニット構成のブロック図である。
【発明を実施するための形態】
【００１７】
図１を参照すれば、図１は、本発明の実施例によって提供される例示的な通信システムの可能なネットワークアーキテクチャである。前記例示的な通信システムは、例えば、５Ｇ／ＮＲシステムおよび他のこのような通信システムであり得る。前記例示的な通信システムは、具体的に、ユーザ機器および基地局を提供し、ユーザ機器が基地局によって提供されるモバイル通信ネットワークにアクセスすると、端末と基地局との間は無線リンクを介して通信して接続されることができ、前記通信接続モードは、シングル接続モードまたはデュアル接続モードまたはマルチ接続モードであり得る。通信接続モードがシングル接続モードである場合、基地局はｇＮＢ基地局とも呼ばれ、通信モードがデュアル接続モードである場合（具体的に、キャリアアグリゲーション（ＣＡ）技術、または複数の基地局によって実現可能）、且つユーザ機器が複数の基地局に接続される場合、前記複数の基地局はメイン基地局（ＭＣＧ）およびセカンダリ基地局（ＳＣＧ）であり得、基地局間は、バックホール（ｂａｃｋｈａｕｌ）リンクを介してデータのバックホールを行い、メイン基地局およびセカンダリ基地局は、ｇＮＲ基地局であり得る。
【００１８】
本発明の実施例において、「ネットワーク」および「システム」という用語は、常に交換可能に使用され、当業者はその意味を理解することができる。本発明の実施例に関する端末は、様々な無限通信機能を備えたハンドヘルドデバイス、車載デバイス、ウェアラブルデバイス、コンピューティングデバイスまたは無線モデムに接続された他の処理デバイス、および様々な形態のユーザ機器（ＵＥ：Ｕｓｅｒ  Ｅｑｕｉｐｍｅｎｔ）、モバイルステーション（ＭＳ：Ｍｏｂｉｌｅ  Ｓｔａｔｉｏｎ）、端末デバイス（ｔｅｒｍｉｎａｌ  ｄｅｖｉｃｅ）などを含むことができる。説明を簡単にするために、上記のデバイスをまとめて端末と呼ぶ。
【００１９】
以下、本発明の実施例における技術的解決策を図面を参照して詳細に説明する。
【００２０】
図２Ａを参照すれば、図２Ａは、本発明の実施例によって提供されるアクセス制御方法のプロセス例示図であり、ユーザ機器および基地局を含む５Ｇ／ＮＲ通信システムに適用され、前記方法は、以下のステップを含む。
【００２１】
２Ａ０１部分において、ユーザ機器は、アップリンクアクセスのためのアクセスカテゴリ（ａｃｃｅｓｓ  ｃａｔｅｇｏｒｙ）情報を取得することであって、前記ａｃｃｅｓｓ  ｃａｔｅｇｏｒｙ情報は、少なくともアクセス層（ＡＳ）エンティティによって独立して定義された第１のａｃｃｅｓｓ  ｃａｔｅｇｏｒｙ情報を含む。
【００２２】
２Ａ０２部分において、前記ユーザ機器は、前記ａｃｃｅｓｓ  ｃａｔｅｇｏｒｙ情報にしたがってアップリンクアクセスを開始する。
【００２３】
これから分かるように、本発明の実施例において、ユーザ機器は、まず、アップリンクアクセスのためのアクセスカテゴリ（ａｃｃｅｓｓ  ｃａｔｅｇｏｒｙ）情報を取得し、次に、ユーザ機器がａｃｃｅｓｓ  ｃａｔｅｇｏｒｙ情報にしたがってアップリンクアクセスを開始し、且つ取得されたａｃｃｅｓｓ  ｃａｔｅｇｏｒｙ情報には少なくともアクセス層（ＡＳ）エンティティによって独立して定義された第１のａｃｃｅｓｓ  ｃａｔｅｇｏｒｙ情報を含むため、即ち、ユーザ機器に必要なａｃｃｅｓｓ  ｃａｔｅｇｏｒｙ情報が、ＮＡＳエンティティからすべて取得されないか、またはＮＡＳから取得されない。このような方法は、アクセス層自体によって開始されるアップリンクアクセス要求に対して、ＮＡＳとＡＳとの間の層間シグナリングオーバーヘッドを低減し、ＮＲシステムにおけるユーザ機器のアクセス制御効率を改善するのに有益である。
【００２４】
ある可能な例示において、前記ユーザ機器が、前記ａｃｃｅｓｓ  ｃａｔｅｇｏｒｙ情報にしたがってアップリンクアクセスを開始することは、前記ユーザ機器が、アップリンクアクセスを決定するために、前記ａｃｃｅｓｓ  ｃａｔｅｇｏｒｙ情報にしたがってアクセス制限（ａｃｃｅｓｓ  ｂａｒｒｉｎｇ）操作を実行することを含む。
【００２５】
ここで、ユーザ機器は、ａｃｃｅｓｓ  ｃａｔｅｇｏｒｙおよび自体のアクセスクラス（ａｃｃｅｓｓ  ｃｌａｓｓ）にしたがって、現在のシステムにアクセスするかどうかを取得するプロセスでは、システムによってブロードキャストされるアクセス制御用のパラメータを組み合わせる必要もある。
【００２６】
これから分かるように、本例示では、ユーザ機器がシステム情報を申し込む場合、ユーザ機器の要求はシステム情報の取得のみであるため、ネットワーク側機器との無線リソース制御（ＲＲＣ：Ｒａｄｉｏ  Ｒｅｓｏｕｒｃｅ  Ｃｏｎｔｒｏｌ）接続を確立する必要がなく、ユーザ機器の本端は、アクセス制御を実行することだけで実現することができる。システム情報を取得するためのユーザ機器の処理効率の改善に役立つ。
【００２７】
ある可能な例示において、前記ユーザ機器が、前記ａｃｃｅｓｓ  ｃａｔｅｇｏｒｙ情報にしたがってアップリンクアクセスを開始することは、前記ユーザ機器が、アップリンクアクセスの開始を決定するために、前記ａｃｃｅｓｓ  ｃａｔｅｇｏｒｙ情報にしたがってアクセス制限（ａｃｃｅｓｓ  ｂａｒｒｉｎｇ）操作を実行することと、前記ユーザ機器が、前記ａｃｃｅｓｓ  ｃａｔｅｇｏｒｙ情報を伝送することであって、前記ａｃｃｅｓｓ  ｃａｔｅｇｏｒｙ情報は、基地局が前記ユーザ機器に対してアップリンクアクセス制御を行うことのためであることと、を含む。
【００２８】
ここで、ユーザ機器は、ＭＳＧ３で、即ち、ＲＲＣ接続確立要求でａｃｃｅｓｓ  ｃａｔｅｇｏｒｙをネットワーク側機器に送信することができる。
【００２９】
これから分かるように、本例示で、ユーザ機器がＲＲＣ接続の確立を申し込む場合に対して、ネットワーク側機器がユーザ機器のアップリンクアクセス要求（即ち、送信されたａｃｃｅｓｓ  ｃａｔｅｇｏｒｙ）をさらに制御する必要があるため、ユーザはさらにａｃｃｅｓｓ  ｃａｔｅｇｏｒｙをネットワークに送信する必要がある。これにより、ＲＲＣ接続を迅速に確立することができる。
【００３０】
前記可能な例示において、前記ａｃｃｅｓｓ  ｂａｒｒｉｎｇ操作は、アクセスカテゴリ禁止（ＡＣＢ：Ａｃｃｅｓｓ  ｃａｔｅｇｏｒｙ  ｐｒｏｈｉｂｉｔｅｄ）、拡張アクセス禁止（ＥＡＢ：Ｅｘｔｅｎｄｅｄ  ａｃｃｅｓｓ  ｐｒｏｈｉｂｉｔｅｄ）、リバースサービス固有アクセス制御（Ｒｅｖｅｒｓｅ  ＳＳＡＣ：ｓｅｒｖｉｃｅ  ｓｐｅｃｉｆｉｃ  ａｃｃｅｓｓ  ｃｏｎｔｒｏｌ）、データ通信におけるアプリケーション指向の輻輳制御（ＡＣＤＣ：Ａｐｐｌｉｃａｔｉｏｎ  ｓｐｅｃｉｆｉｃ  Ｃｏｎｇｅｓｔｉｏｎ  ｃｏｎｔｒｏｌ  ｆｏｒ  Ｄａｔａ  Ｃｏｍｍｕｎｉｃａｔｉｏｎ）のうちの少なくとも１つの操作を含む。
【００３１】
ある可能な例示において、前記ユーザ機器が、アップリンクアクセスのためのアクセスカテゴリ（ａｃｃｅｓｓ  ｃａｔｅｇｏｒｙ）情報を取得することは、前記ユーザ機器が、ＡＳエンティティによって独立して定義された第１のａｃｃｅｓｓ  ｃａｔｅｇｏｒｙ情報を取得し、前記第１のａｃｃｅｓｓ  ｃａｔｅｇｏｒｙ情報をアップリンクアクセスのためのａｃｃｅｓｓ  ｃａｔｅｇｏｒｙ情報として決定することを含む。
【００３２】
ここで、前記アップリンク要求プロセスがアクセス層（ＡＳ）によってトリガーされる場合、前記ａｃｃｅｓｓ  ｃａｔｅｇｏｒｙは、アクセス層によって自己決定されることができる。
【００３３】
これから分かるように、本例示で、ユーザ機器がシステム情報を申し込む場合に対して、ユーザ機器の要求が、ただシステム情報を取得することだけであるため、ネットワーク側機器と無線リソース制御（ＲＲＣ）接続を確立する必要がなく、ユーザ機器の本端は、アクセス制御を実行することだけで実現することができる。システム情報を取得するためのユーザ機器の処理効率の改善に役立つ。
【００３４】
ある可能な例示において、前記ユーザ機器が、アップリンクアクセスのためのアクセスカテゴリ（ａｃｃｅｓｓ  ｃａｔｅｇｏｒｙ）情報を取得することは、前記ユーザ機器が、ＡＳエンティティによって独立して定義された第１のａｃｃｅｓｓ  ｃａｔｅｇｏｒｙ情報を取得すること、および非アクセス層（ＮＡＳ）によって定義された第２のａｃｃｅｓｓ  ｃａｔｅｇｏｒｙ情報を取得することと、前記ユーザ機器が、前記第１のａｃｃｅｓｓ  ｃａｔｅｇｏｒｙ情報および前記第２のａｃｃｅｓｓ  ｃａｔｅｇｏｒｙ情報にしたがって、アップリンクアクセスのためのａｃｃｅｓｓ  ｃａｔｅｇｏｒｙ情報を決定することを含む。
【００３５】
ここで、前記アップリンク要求プロセスは、アクセス層によってトリガーされ、ａｃｃｅｓｓ  ｃａｔｅｇｏｒｙは、アクセス層によって自己決定されることができる。しかしながら、同時に、非アクセス層によってトリガーされるアップリンク要求プロセスは同時にトリガーされる場合があるが、この場合、両方を同時に考慮する必要がある。
【００３６】
これから分かるように、本例示で、ユーザ機器がシステム情報を申し込む場合に対して、ユーザ機器の要求が、単なるシステム情報を取得することだけであるため、ネットワーク側機器と無線リソース制御（ＲＲＣ）接続を確立する必要がなく、ユーザ機器の本端は、アクセス制御を実行することだけで実現することができる。システム情報を取得するためのユーザ機器の処理効率の改善に役立つ。ユーザ機器がＲＲＣ接続の確立を申し込む場合に対して、ネットワーク側機器がユーザ機器のアップリンクアクセス要求（即ち、送信されたａｃｃｅｓｓ  ｃａｔｅｇｏｒｙ）をさらに制御する必要があるため、ユーザはさらにａｃｃｅｓｓ  ｃａｔｅｇｏｒｙをネットワークに送信する必要がある。これにより、ＲＲＣ接続を迅速に確立することができる。
【００３７】
ある可能な例示において、前記ａｃｃｅｓｓ  ｃａｔｅｇｏｒｙ情報は、コールタイプ（ｃａｌｌ  ｔｙｐｅ）を含むか、または、前記ｃａｌｌ  ｔｙｐｅおよび無線リソース制御確立原因（ＲＲＣ  ｅｓｔａｂｌｉｓｈｍｅｎｔ  ｃａｕｓｅ）を含む。
【００３８】
図２Ａと一致して、図２Ｂは、本発明の実施例によって提供される別のアクセス制御方法のプロセス例示図であり、ユーザ機器および基地局を含む５Ｇ／ＮＲ通信システムに適用され、前記方法は、次のステップを含む。
【００３９】
Ｓ２Ｂ０１において、ユーザ機器が、アップリンクアクセスのためのアクセスカテゴリ（ａｃｃｅｓｓ  ｃａｔｅｇｏｒｙ）情報を取得し、前記ａｃｃｅｓｓ  ｃａｔｅｇｏｒｙ情報は、少なくともアクセス層（ＡＳ）エンティティによって独立して定義された第１のａｃｃｅｓｓ  ｃａｔｅｇｏｒｙ情報を含む。
【００４０】
Ｓ２Ｂ０２において、前記ユーザ機器が、アップリンクアクセスを決定するために、前記ａｃｃｅｓｓ  ｃａｔｅｇｏｒｙ情報にしたがってアクセス制限（ａｃｃｅｓｓ  ｂａｒｒｉｎｇ）操作を実行する。
【００４１】
Ｓ２Ｂ０３において、前記ユーザ機器が、前記ａｃｃｅｓｓ  ｃａｔｅｇｏｒｙ情報を伝送することであって、前記ａｃｃｅｓｓ  ｃａｔｅｇｏｒｙ情報は、基地局が前記ユーザ機器に対してアップリンクアクセス制御を行うことのためである。
【００４２】
Ｓ２Ｂ０４において、前記基地局が、ユーザ機器から送信されたアクセスカテゴリ（ａｃｃｅｓｓ  ｃａｔｅｇｏｒｙ）情報を受信することであって、前記ａｃｃｅｓｓ  ｃａｔｅｇｏｒｙ情報は、前記ユーザ機器が前記ａｃｃｅｓｓ  ｃａｔｅｇｏｒｙ情報にしたがってアクセス制限（ａｃｃｅｓｓ  ｂａｒｒｉｎｇ）操作を実行し、アップリンクアクセスを決定した後に送信され、前記ａｃｃｅｓｓ  ｃａｔｅｇｏｒｙ情報は、少なくともアクセス層（ＡＳ）エンティティによって独立して定義された第１のａｃｃｅｓｓ  ｃａｔｅｇｏｒｙ情報を含む。
【００４３】
Ｓ２Ｂ０５において、前記基地局が、前記ａｃｃｅｓｓ  ｃａｔｅｇｏｒｙ情報にしたがって前記ユーザ機器に対してアクセス制御を行う。
【００４４】
これから分かるように、本発明の実施例において、ユーザ機器が、まず、アップリンクアクセスのためのアクセスカテゴリ（ａｃｃｅｓｓ  ｃａｔｅｇｏｒｙ）情報を取得し、アップリンクアクセスの開始を決定するために、ａｃｃｅｓｓ  ｃａｔｅｇｏｒｙ情報にしたがってａｃｃｅｓｓ  ｂａｒｒｉｎｇ操作を実行し、ａｃｃｅｓｓ  ｃａｔｅｇｏｒｙ情報を伝送する。基地局は、ユーザ機器から送信されたａｃｃｅｓｓ  ｃａｔｅｇｏｒｙ情報を受信し、前記ａｃｃｅｓｓ  ｃａｔｅｇｏｒｙ情報にしたがって前記ユーザ機器に対してアクセス制御を行う。且つ取得されたａｃｃｅｓｓ  ｃａｔｅｇｏｒｙ情報には少なくともアクセス層（ＡＳ）エンティティによって独立して定義された第１のａｃｃｅｓｓ  ｃａｔｅｇｏｒｙ情報を含むため、即ち、ユーザ機器に必要なａｃｃｅｓｓ  ｃａｔｅｇｏｒｙ情報が、ＮＡＳエンティティからすべて取得されないか、またはＮＡＳから取得されない。このような方法は、アクセス層自体によって開始されるアップリンクアクセス要求に対して、ＮＡＳとＡＳとの間の層間シグナリングオーバーヘッドを低減し、ＮＲシステムにおけるユーザ機器のアクセス制御効率を改善するのに有益である。
【００４５】
ある可能な例示において、前記ａｃｃｅｓｓ  ｂａｒｒｉｎｇ操作は、アクセスカテゴリ禁止（ＡＣＢ）、拡張アクセス禁止（ＥＡＢ）、リバースサービス固有アクセス制御（ＳＳＡＣ）、データ通信におけるアプリケーション指向の輻輳制御（ＡＣＤＣ）のうちの少なくとも１つの操作を含む。
【００４６】
ある可能な例示において、前記ａｃｃｅｓｓ  ｃａｔｅｇｏｒｙ情報は、コールタイプ（ｃａｌｌ  ｔｙｐｅ）を含むか、または、前記ｃａｌｌ  ｔｙｐｅおよび無線リソース制御確立原因（ＲＲＣ  ｅｓｔａｂｌｉｓｈｍｅｎｔ  ｃａｕｓｅ）を含む。
【００４７】
以下、具体的な適用シナリオを参照して、本発明の実施例を具体的に説明する。
【００４８】
図３に示されたように、ユーザ機器がスマートフォンであり、基地局が５Ｇ／ＮＲシステムにおけるｇＮＢであると仮定すると、ＡＳによって独立して定義されたａｃｃｅｓｓ  ｃａｔｅｇｏｒｙ情報は、ｃａｌｌ  ｔｙｐｅおよびＲＲＣ  ｅｓｔａｂｌｉｓｈｍｅｎｔ  ｃａｕｓｅを含む。そして、本発明の実施例に開示されたアクセス制御方法は次のステップを含む。
【００４９】
Ｓ３０１において、スマートフォンがアップリンクアクセスのための且つＡＳによって独立して定義されたｃａｌｌ  ｔｙｐｅおよびＲＲＣ  ｅｓｔａｂｌｉｓｈｍｅｎｔ  ｃａｕｓｅを取得する。
【００５０】
Ｓ３０２において、スマートフォンが、アップリンクアクセスを決定するために、ｃａｌｌ  ｔｙｐｅにしたがってアクセス制限（ａｃｃｅｓｓ  ｂａｒｒｉｎｇ）操作を実行する。
【００５１】
Ｓ３０３において、スマートフォンが基地局にＲＲＣ  ｅｓｔａｂｌｉｓｈｍｅｎｔ  ｃａｕｓｅを送信する。
【００５２】
Ｓ３０４において、基地局がスマートフォンから送信されたＲＲＣ  ｅｓｔａｂｌｉｓｈｍｅｎｔ  ｃａｕｓｅを受信する。
【００５３】
Ｓ３０５において、基地局がＲＲＣ  ｅｓｔａｂｌｉｓｈｍｅｎｔ  ｃａｕｓｅにしたがってスマートフォンに対してアクセス制御を行う。
【００５４】
これから分かるように、本シナリオの例示において、アップリンクアクセスのためのｃａｌｌ  ｔｙｐｅおよびＲＲＣ  ｅｓｔａｂｌｉｓｈｍｅｎｔ  ｃａｕｓｅがＡＳによって独立して定義されるため、スマートフォンは前記情報を取得するためにＮＡＳからシグナリングインタラクションを実行する必要がない。このような方法は、アクセス層自体によって開始されるアップリンクアクセス要求に対して、ＮＡＳとＡＳとの間の層間シグナリングオーバーヘッドを低減し、ＮＲシステムにおけるユーザ機器のアクセス制御効率を改善するのに有益である。
【００５５】
前記図２Ａに示された実施例と一致して、図４を参照すれば、図４は、本発明の実施例によって提供されるユーザ機器の構造例示図であり、図示されたように、前記ユーザ機器は、プロセッサ、メモリ、無線周波数チップおよびプログラムを含み、ここで、前記プログラムは、前記メモリに記憶され、前記プロセッサによって実行されるように構成され、前記プログラムは、
アップリンクアクセスのためのアクセスカテゴリ（ａｃｃｅｓｓ  ｃａｔｅｇｏｒｙ）情報を取得するステップであって、前記ａｃｃｅｓｓ  ｃａｔｅｇｏｒｙ情報は、少なくともアクセス層（ＡＳ）エンティティによって独立して定義された第１のａｃｃｅｓｓ  ｃａｔｅｇｏｒｙ情報を含むステップと、
前記ａｃｃｅｓｓ  ｃａｔｅｇｏｒｙ情報にしたがってアップリンクアクセスを開始するステップと、を実行するための命令を含む。
【００５６】
これから分かるように、本発明の実施例において、ユーザ機器が、まず、アップリンクアクセスのためのアクセスカテゴリ（ａｃｃｅｓｓ  ｃａｔｅｇｏｒｙ）情報を取得し、次に、ユーザ機器がａｃｃｅｓｓ  ｃａｔｅｇｏｒｙ情報にしたがってアップリンクアクセスを開始し、且つ取得されたａｃｃｅｓｓ  ｃａｔｅｇｏｒｙ情報には少なくともアクセス層（ＡＳ）エンティティによって独立して定義された第１のａｃｃｅｓｓ  ｃａｔｅｇｏｒｙ情報を含むため、即ち、ユーザ機器に必要なａｃｃｅｓｓ  ｃａｔｅｇｏｒｙ情報が、ＮＡＳエンティティからすべて取得されないか、またはＮＡＳから取得されない。このような方法は、アクセス層自体によって開始されるアップリンクアクセス要求に対して、ＮＡＳとＡＳとの間の層間シグナリングオーバーヘッドを低減し、ＮＲシステムにおけるユーザ機器のアクセス制御効率を改善するのに有益である。
【００５７】
ある可能な例示において、前記ａｃｃｅｓｓ  ｃａｔｅｇｏｒｙ情報にしたがってアップリンクアクセスを開始する態様において、前記プログラム中の命令は、具体的に、アップリンクアクセスを決定するために、前記ａｃｃｅｓｓ  ｃａｔｅｇｏｒｙ情報にしたがってアクセス制限（ａｃｃｅｓｓ  ｂａｒｒｉｎｇ）操作を実行するためである。
【００５８】
ある可能な例示において、前記ａｃｃｅｓｓ  ｃａｔｅｇｏｒｙ情報にしたがってアップリンクアクセスを開始する態様において、前記プログラム中の命令は、具体的に、アップリンクアクセスの開始を決定するために、前記ａｃｃｅｓｓ  ｃａｔｅｇｏｒｙ情報にしたがってアクセス制限（ａｃｃｅｓｓ  ｂａｒｒｉｎｇ）操作を実行するステップと、前記ａｃｃｅｓｓ  ｃａｔｅｇｏｒｙ情報を伝送するステップであって、前記ａｃｃｅｓｓ  ｃａｔｅｇｏｒｙ情報は、基地局が前記ユーザ機器に対してアップリンクアクセス制御を行うためであるステップと、を実行する。
【００５９】
ある可能な例示において、前記ａｃｃｅｓｓ  ｂａｒｒｉｎｇ操作は、アクセスカテゴリ禁止（ＡＣＢ）、拡張アクセス禁止（ＥＡＢ）、リバースサービス固有アクセス制御（ＳＳＡＣ）、データ通信におけるアプリケーション指向の輻輳制御（ＡＣＤＣ）のうちの少なくとも１つの操作を含む。
【００６０】
ある可能な例示において、前記アップリンクアクセスのためのアクセスカテゴリ（ａｃｃｅｓｓ  ｃａｔｅｇｏｒｙ）情報を取得する態様において、前記プログラム中の命令は、具体的に、ＡＳエンティティによって独立して定義された第１のａｃｃｅｓｓ  ｃａｔｅｇｏｒｙ情報を取得し、前記第１のａｃｃｅｓｓ  ｃａｔｅｇｏｒｙ情報をアップリンクアクセスのためのａｃｃｅｓｓ  ｃａｔｅｇｏｒｙ情報として決定するステップを実行する。
【００６１】
ある可能な例示において、前記アップリンクアクセスのためのアクセスカテゴリ（ａｃｃｅｓｓ  ｃａｔｅｇｏｒｙ）情報を取得する態様において、前記プログラム中の命令は、具体的に、ＡＳエンティティによって独立して定義された第１のａｃｃｅｓｓ  ｃａｔｅｇｏｒｙ情報を取得するステップと、非アクセス層（ＮＡＳ）によって定義された第２のａｃｃｅｓｓ  ｃａｔｅｇｏｒｙ情報を取得するステップと、前記第１のａｃｃｅｓｓ  ｃａｔｅｇｏｒｙ情報および前記第２のａｃｃｅｓｓ  ｃａｔｅｇｏｒｙ情報にしたがって、アップリンクアクセスのためのａｃｃｅｓｓ  ｃａｔｅｇｏｒｙ情報を決定するステップと、を実行する。
【００６２】
ある可能な例示において、前記ａｃｃｅｓｓ  ｃａｔｅｇｏｒｙ情報は、コールタイプ（ｃａｌｌ  ｔｙｐｅ）を含むか、または、前記ｃａｌｌ  ｔｙｐｅおよび無線リソース制御確立原因（ＲＲＣ  ｅｓｔａｂｌｉｓｈｍｅｎｔ  ｃａｕｓｅ）を含む。
【００６３】
前記図２Ｂに示された実施例と一致して、図５を参照すれば、図５は、本発明の実施例によって提供される基地局の構造例示図であり、図示されたように、前記基地局は、プロセッサ、メモリ、通信インターフェースおよびプログラムを含み、ここで、前記プログラムは、前記メモリに記憶され、前記プロセッサによって実行されるように構成され、前記プログラムは、
ユーザ機器から送信されたアクセスカテゴリ（ａｃｃｅｓｓ  ｃａｔｅｇｏｒｙ）情報を受信するステップであって、前記ａｃｃｅｓｓ  ｃａｔｅｇｏｒｙ情報は、前記ユーザ機器が前記ａｃｃｅｓｓ  ｃａｔｅｇｏｒｙ情報にしたがってアクセス制限（ａｃｃｅｓｓ  ｂａｒｒｉｎｇ）操作を実行し、アップリンクアクセスを決定した後に送信され、前記ａｃｃｅｓｓ  ｃａｔｅｇｏｒｙ情報は、少なくともアクセス層（ＡＳ）エンティティによって独立して定義された第１のａｃｃｅｓｓ  ｃａｔｅｇｏｒｙ情報を含むステップと、
前記ａｃｃｅｓｓ  ｃａｔｅｇｏｒｙ情報にしたがって前記ユーザ機器に対してアクセス制御を行うステップと、を実行するための命令を含む。
【００６４】
これから分かるように、本発明の実施例において、ユーザ機器が、まず、アップリンクアクセスのためのアクセスカテゴリ（ａｃｃｅｓｓ  ｃａｔｅｇｏｒｙ）情報を取得し、次に、ユーザ機器がａｃｃｅｓｓ  ｃａｔｅｇｏｒｙ情報にしたがってアップリンクアクセスを開始し、且つ取得されたａｃｃｅｓｓ  ｃａｔｅｇｏｒｙ情報には少なくともアクセス層（ＡＳ）エンティティによって独立して定義された第１のａｃｃｅｓｓ  ｃａｔｅｇｏｒｙ情報を含むため、即ち、ユーザ機器に必要なａｃｃｅｓｓ  ｃａｔｅｇｏｒｙ情報が、ＮＡＳエンティティからすべて取得されないか、またはＮＡＳから取得されない。このような方法は、アクセス層自体によって開始されるアップリンクアクセス要求に対して、ＮＡＳとＡＳとの間の層間シグナリングオーバーヘッドを低減し、ＮＲシステムにおけるユーザ機器のアクセス制御効率を改善するのに有益である。
【００６５】
ある可能な例示において、前記ａｃｃｅｓｓ  ｂａｒｒｉｎｇ操作は、アクセスカテゴリ禁止（ＡＣＢ）、拡張アクセス禁止（ＥＡＢ）、リバースサービス固有アクセス制御（ＳＳＡＣ）、データ通信におけるアプリケーション指向の輻輳制御（ＡＣＤＣ）のうちの少なくとも１つの操作を含む。
【００６６】
ある可能な例示において、前記ａｃｃｅｓｓ  ｃａｔｅｇｏｒｙ情報は、コールタイプ（ｃａｌｌ  ｔｙｐｅ）を含むか、または、前記ｃａｌｌ  ｔｙｐｅおよび無線リソース制御確立原因（ＲＲＣ  ｅｓｔａｂｌｉｓｈｍｅｎｔ  ｃａｕｓｅ）を含む。
【００６７】
上記は、主に各ネットワーク要素間の相互作用の観点から、本発明の実施例の技術案を紹介する。前記機能を実現するために、ユーザ機器および基地局は、各機能を実行することに対応するハードウェア構造および／またはソフトウェアモジュールを含むことを理解すべきである。当業者は、本明細書に開示される実施例で説明された各例示のユニットおよびアルゴリズムステップを組み合わせることにより、本発明は、ハードウェアまたはハードウェアとコンピュータソフトウェアの組み合わせの形態で実現されることができることを理解するであろう。特定の機能がハードウェアで実行されるかソフトウェアで実行されるかは、技術的解決策の特定の応用および設計の制約条件に依存する。専門技術者は、各特定の応用に対して異なる方法を使用して説明された機能を実現することができるが、このような実現は本発明の範囲を超えると見なされるべきではない。
【００６８】
本発明の実施例において、ユーザ機器および基地局は、前記方法の例示にしたがって機能ユニットの分割を行うことができ、例えば、各機能に対応して各機能ユニットを分割してもよく、２つ以上の機能を１つの処理ユニットに統合してもよい。前記統合ユニットは、ハードウェアの形態で実装されてもよく、ソフトウェアプログラムモジュールの形態で実装されてもよい。本発明の実施例におけるユニットの分割は例示的であり、単なる論理的な機能分割に過ぎないことに留意すべきであるが、実際に実装では、別の分割方法があり得る。
【００６９】
統合ユニットを使用する場合、図６は、本発明の実施例によって提供されるユーザ機器の可能な機能ユニットの構成ブロック図を示し、前記ユーザ機器は前記実施例の前記ユーザ機器に適用される。前記ユーザ機器６００は、取得ユニット６０１および開始ユニット６０２を含む。
【００７０】
前記取得ユニット６０１は、アップリンクアクセスのためのアクセスカテゴリ（ａｃｃｅｓｓ  ｃａｔｅｇｏｒｙ）情報を取得するように構成され、前記ａｃｃｅｓｓ  ｃａｔｅｇｏｒｙ情報は、少なくともアクセス層（ＡＳ）エンティティによって独立して定義された第１のａｃｃｅｓｓ  ｃａｔｅｇｏｒｙ情報を含む。
【００７１】
前記開始ユニット６０２は、前記ａｃｃｅｓｓ  ｃａｔｅｇｏｒｙ情報にしたがってアップリンクアクセスを開始するように構成される。
【００７２】
ある可能な例示において、前記ａｃｃｅｓｓ  ｃａｔｅｇｏｒｙ情報にしたがってアップリンクアクセスを開始する態様において、前記開始ユニット６０２は、具体的に、アップリンクアクセスを決定するために、前記ａｃｃｅｓｓ  ｃａｔｅｇｏｒｙ情報にしたがってアクセス制限（ａｃｃｅｓｓ  ｂａｒｒｉｎｇ）操作を実行するように構成される。
【００７３】
ある可能な例示において、前記ａｃｃｅｓｓ  ｃａｔｅｇｏｒｙ情報にしたがってアップリンクアクセスを開始する態様において、前記開始ユニット６０２は、具体的に、アップリンクアクセスの開始を決定するために、前記ａｃｃｅｓｓ  ｃａｔｅｇｏｒｙ情報にしたがってアクセス制限（ａｃｃｅｓｓ  ｂａｒｒｉｎｇ）操作を実行し、および前記ａｃｃｅｓｓ  ｃａｔｅｇｏｒｙ情報を伝送するように構成され、前記ａｃｃｅｓｓ  ｃａｔｅｇｏｒｙ情報は、基地局が前記ユーザ機器に対してアップリンクアクセス制御を行うためである。
【００７４】
ある可能な例示において、前記ａｃｃｅｓｓ  ｂａｒｒｉｎｇ操作は、アクセスカテゴリ禁止（ＡＣＢ）、拡張アクセス禁止（ＥＡＢ）、リバースサービス固有アクセス制御（ＳＳＡＣ）、データ通信におけるアプリケーション指向の輻輳制御（ＡＣＤＣ）のうちの少なくとも１つの操作を含む。
【００７５】
ある可能な例示において、前記アップリンクアクセスのためのアクセスカテゴリ（ａｃｃｅｓｓ  ｃａｔｅｇｏｒｙ）情報を取得する態様において、前記取得ユニット６０１は、具体的に、ＡＳエンティティによって独立して定義された第１のａｃｃｅｓｓ  ｃａｔｅｇｏｒｙ情報を取得して、前記第１のａｃｃｅｓｓ  ｃａｔｅｇｏｒｙ情報をアップリンクアクセスのためのａｃｃｅｓｓ  ｃａｔｅｇｏｒｙ情報として決定するように構成される。
【００７６】
ある可能な例示において、前記アップリンクアクセスのためのアクセスカテゴリ（ａｃｃｅｓｓ  ｃａｔｅｇｏｒｙ）情報を取得する態様において、前記取得ユニット６０１は、具体的に、ＡＳエンティティによって独立して定義された第１のａｃｃｅｓｓ  ｃａｔｅｇｏｒｙ情報を取得し、非アクセス層（ＮＡＳ）によって定義された第２のａｃｃｅｓｓ  ｃａｔｅｇｏｒｙ情報を取得し、前記第１のａｃｃｅｓｓ  ｃａｔｅｇｏｒｙ情報および前記第２のａｃｃｅｓｓ  ｃａｔｅｇｏｒｙ情報にしたがって、アップリンクアクセスのためのａｃｃｅｓｓ  ｃａｔｅｇｏｒｙ情報を決定するように構成される。
【００７７】
ある可能な例示において、前記ａｃｃｅｓｓ  ｃａｔｅｇｏｒｙ情報は、コールタイプ（ｃａｌｌ  ｔｙｐｅ）を含むか、または、前記ｃａｌｌ  ｔｙｐｅおよび無線リソース制御確立原因（ＲＲＣ  ｅｓｔａｂｌｉｓｈｍｅｎｔ  ｃａｕｓｅ）を含む。
【００７８】
ここで、取得ユニット６０１は、プロセッサであり得、開始ユニット６０２は、無線周波数チップなどであり得る。
【００７９】
取得ユニット６０１がプロセッサであり、開始ユニット６０２で無線周波数チップである場合、本発明の実施例に関するユーザ機器は、図４に示されたユーザ機器であり得る。
【００８０】
統合ユニットを使用する場合、図７は、本発明の実施例によって提供された基地局の可能な機能ユニット構成ブロック図を示し、前記基地局は、基地局に提供される。基地局７００は、受信ユニット７０１およびアクセス制御ユニット７０２を含む。
【００８１】
前記受信ユニット７０１は、ユーザ機器から送信されたアクセスカテゴリ（ａｃｃｅｓｓ  ｃａｔｅｇｏｒｙ）情報を受信するように構成され、前記ａｃｃｅｓｓ  ｃａｔｅｇｏｒｙ情報は、前記ユーザ機器が前記ａｃｃｅｓｓ  ｃａｔｅｇｏｒｙ情報にしたがってアクセス制限（ａｃｃｅｓｓ  ｂａｒｒｉｎｇ）操作を実行し、アップリンクアクセスを決定した後に送信され、前記ａｃｃｅｓｓ  ｃａｔｅｇｏｒｙ情報は、少なくともアクセス層（ＡＳ）エンティティによって独立して定義された第１のａｃｃｅｓｓ  ｃａｔｅｇｏｒｙ情報を含む。
【００８２】
前記アクセス制御ユニット７０２は、前記ａｃｃｅｓｓ  ｃａｔｅｇｏｒｙ情報にしたがって前記ユーザ機器に対してアクセス制御を行うように構成される。
【００８３】
ある可能な例示において、前記ａｃｃｅｓｓ  ｂａｒｒｉｎｇ操作は、アクセスカテゴリ禁止（ＡＣＢ）、拡張アクセス禁止（ＥＡＢ）、リバースサービス固有アクセス制御（ＳＳＡＣ）、データ通信におけるアプリケーション指向の輻輳制御（ＡＣＤＣ）のうちの少なくとも１つの操作を含む。
【００８４】
ある可能な例示において、前記ａｃｃｅｓｓ  ｃａｔｅｇｏｒｙ情報は、コールタイプ（ｃａｌｌ  ｔｙｐｅ）を含むか、または、前記ｃａｌｌ  ｔｙｐｅおよび無線リソース制御確立原因（ＲＲＣ  ｅｓｔａｂｌｉｓｈｍｅｎｔ  ｃａｕｓｅ）を含む。
【００８５】
ここで、受信ユニット７０１は、通信インターフェースであり得、アクセス制御ユニット７０２は、プロセッサであり得る。
【００８６】
受信ユニット７０１が通信インターフェースであり、アクセス制御ユニット７０２がプロセッサである場合、本発明の実施例に関する基地局は、図５に示された基地局であり得る。
【００８７】
本発明の実施例は、コンピュータプログラムを記憶するコンピュータ記憶媒体をさらに提供し、ここで、前記コンピュータプログラムは、コンピュータに、本発明の実施例に記載の任意のステップを実行させ、前記コンピュータは、基地局およびユーザ機器を含む。
【００８８】
本発明の実施例は、コンピュータプログラムを含むコンピュータプログラム製品をさらに提供し、前記コンピュータプログラムは、本発明の実施例に記載の任意のステップをコンピュータに実行させるように動作可能であり、前記コンピュータは、基地局およびユーザ機器を含む。
【００８９】
本発明の実施例で説明された方法またはアルゴリズムのステップは、ハードウェアの方式で実装されてもよく、プロセッサによってソフトウェア命令を実行する方式で実装されてもよい。ソフトウェア命令は、対応するソフトウェアモジュールによって構成されることができ、ソフトウェアモジュールは、ランダムアクセスメモリ（ＲＡＭ：Ｒａｎｄｏｍ  Ａｃｃｅｓｓ  Ｍｅｍｏｒｙ）、フラッシュメモリ、読み取り専用メモリ（ＲＯＭ：Ｒｅａｄ  Ｏｎｌｙ  Ｍｅｍｏｒｙ）、消去可能プログラマブル読み取り専用メモリ（ＥＰＲＯＭ：Ｅｒａｓａｂｌｅ  Ｐｒｏｇｒａｍｍａｂｌｅ  ＲＯＭ）、電気的消去可能プログラマブル読み取り専用メモリ（ＥＥＰＲＯＭ：Ｅｌｅｃｔｒｉｃａｌｌｙ  ＥＰＲＯＭ）、レジスタ、ハードディスク、リムーバブルハードディスク、コンパクトディスクリードオンリーメモリ（ＣＤ−ＲＯＭ）または本技術分野で既知のその他のいずれの形態の記憶媒体に記憶されてもよい。ある例示的な記憶媒体は、プロセッサが当該記憶媒体から情報を読み取り、当該記憶媒体に情報を書き込むことができるように、プロセッサに結合される。もちろん、記憶媒体は、プロセッサの構成部分であることもできる。プロセッサおよび記憶媒体は、ＡＳＩＣに配置されることができる。さらに、当該ＡＳＩＣは、アクセスネットワーク装置、ターゲットネットワーク装置またはコアネットワーク装置に配置されることができる。もちろん、プロセッサおよび記憶媒体は、アクセスネットワーク装置、ターゲットネットワーク装置またはコアネットワーク装置に個別のコンポーネントとして存在することもできる。
【００９０】
当業者は、前記１つ以上の示例において、本発明の実施例で説明された機能は、ソフトウェア、ハードウェア、ファームウェアまたはそれらの任意の組み合わせによって全体的または部分的に実現することができることを理解すべきである。ソフトウェアを使用して実現する場合、コンピュータプログラム製品の形態で全体的または部分的に実現することができる。前記コンピュータプログラム製品は、１つ以上のコンピュータ命令を含む。コンピュータに前記コンピュータプログラム命令をロードして実行する場合、本発明の実施例に記載のプロセスまたは機能を全体的または部分的に生成する。前記コンピュータは、汎用コンピュータ、専用コンピュータ、コンピュータネットワーク、または他のプログラマブル装置であり得る。前記コンピュータ命令は、コンピュータ読み取り可能な記憶媒体に記憶され、または１つのコンピュータ読み取り可能な記憶媒体から別のコンピュータ読み取り可能な記憶媒体に伝送することができ、例えば、前記コンピュータ命令は、有線（例えば、同軸ケーブル、光ファイバ、デジタル加入者線（ＤＳＬ：Ｄｉｇｉｔａｌ  Ｓｕｂｓｃｒｉｂｅｒ  Ｌｉｎｅ））または無線（例えば、赤外線、無線、マイクロ波等）を介して、１つのＷｅｂサイト、コンピュータ、サーバまたはデータセンタから別のＷｅｂサイト、コンピュータ、サーバまたはデータセンタに伝送することができる。前記コンピュータ読み取り可能な記憶媒体は、コンピュータがアクセス可能ないずれの利用可能な媒体であり、または１つ以上の利用可能な媒体によって統合されたサーバ、データセンタなどのデータ記憶装置であることができる。前記利用可能な媒体は、磁気媒体（例えば、フロッピーディスク、ハードディスク、磁気テープ）、光学媒体（例えば、デジタルビデオディスク（ＤＶＤ：Ｄｉｇｉｔａｌ  Ｖｉｄｅｏ  Ｄｉｓｃ））、または半導体媒体（例えば、ソリッドステートハードディスク（ＳＳＤ：Ｓｏｌｉｄ  Ｓｔａｔｅ  Ｄｉｓｋ））などであり得る。
【００９１】
上記した具体的な実施形態は、本発明の実施例の目的、技術的解決策及び有利な効果に対してより詳しく説明したが、上記の説明は、単なる本発明の実施例の具体的な実施形態に過ぎず、本発明の実施例の保護範囲を限定することを意図するものではなく、本発明の実施例の技術的解決策に基づいて行われるあらゆる修正、同等の置換、改善などは、本発明の実施例の保護範囲に含まれるべきであることを理解されたい。
【図１】
0006924286.tif 000002
【図２Ａ】
0006924286.tif 000003
【図２Ｂ】
0006924286.tif 000004
【図３】
0006924286.tif 000005
【図４】
0006924286.tif 000006
【図５】
0006924286.tif 000007
【図６】
0006924286.tif 000008
【図７】
0006924286.tif 000009